(57)【要約】【課題】本発明は、釣針を係止して釣針より延びたハリスを共通巻付部に巻いてハリス端末を巻付方向と直交するように止めるので、収納及び取り出しの双方が容易になるハリス付き釣針の収納ケースを提供する。【解決手段】本発明は、針受部及びハリス受部を対向させた釣針並列部と、該釣針並列部の針受部に掛けた釣針から延びたハリスを巻付ける共通巻付部と、該共通巻付部の近傍にハリス端末を把持させる止部とを備えたことを特徴とし、仕掛けから取り外したハリス付き釣針の収納において、針受部に釣針を掛け、ハリス受部に回したハリスを釣針並列部に巻付けず、別個に設けた共通巻付部に巻付けるため、釣針とハリスとが重ならず、収納が楽にできるとともに、次の使用時に際し、釣針を把持して引くだけでハリスが絡むことなく容易に抜け、取り出し作業が楽になるように構成した。【選択図】図１
2014124143.tif 000002
【特許請求の範囲】
【請求項１】
針受部及びハリス受部を対向させた釣針並列部と、該釣針並列部の針受部に掛けた釣針から延びたハリスを巻付ける共通巻付部と、該共通巻付部の近傍にハリス端末を把持させる止部とを備えたことを特徴とするハリス付き釣針の収納ケース。
【請求項２】
前記共通巻付部が、前記釣針並列部の外側に２つの凹溝を背反して設けたことを特徴とする請求項１に記載のハリス付き釣針の収納ケース。
【請求項３】
前記止部が、前記共通巻付部の巻付け方向と直交状に設けた切込み溝であることを特徴とする請求項１又は２に記載のハリス付き釣針の収納ケース。
【発明の詳細な説明】
【技術分野】
【０００１】
本発明は、仕掛けから取り外した釣針及びハリスの収納を楽に行うことができるとともに、次の使用に際して簡易に取り出し易くしたハリス付き釣針の収納ケースに関するものである。
【背景技術】
【０００２】
一般に、ハリス付き釣針は、釣具店で、海用、川用、沼用として、或いは釣る魚毎に区別され、収納ケースに収納されて販売されている。そのハリス付き釣針は、たとえば、特開平１０−５３２５２号公報に示す如く、袋本体から蓋を剥離し、ミシン目に沿って窓を切り開くと、釣針が露出するようになっている。そして、露出した釣針を把持して引き出すと、ハリスごと容易に取り出すことができるようになっている。
【特許文献１】特開平１０−５３２５２号公報
【発明の開示】
【発明が解決しようとする課題】
【０００３】
しかしながら、上記特許文献１のものは、収納ケース（商品）の陳列性と、取り出し性だけを考慮し、使用後に、仕掛けから分離した釣針及びハリスを巻き付ける（収納）ことや再使用のことなどについては、全く考慮していなかった。
【０００４】
本発明は、上記問題を解消するためのもので、その目的とするところは、釣針を係止して釣針より延びたハリスを共通巻付部に巻いてハリス端末を巻付方向と直交するように止めるので、収納及び取り出しの双方が容易になるハリス付き釣針の収納ケースを提供することにある。
【０００５】
上記目的を達成するため、本発明は、針受部及びハリス受部を対向させた釣針並列部と、該釣針並列部の針受部に掛けた釣針から延びたハリスを巻付ける共通巻付部と、該共通巻付部の近傍にハリス端末を把持させる止部とを備えたことを特徴とし、針受部及びハリス受部を対向させた釣針並列部とは別個にハリスの共通巻付部を設けることにより、使用後の収納と再使用時の取り出しが容易になるように構成した。
【０００６】
また、請求項２に記載の発明は、前記共通巻付部が、前記釣針並列部に釣針及びハリスを並べる方向との同方向に巻付けできることを特徴とし、釣針並列部に掛けた釣針から延びたハリスを巻付け処理が容易にできるように構成した。
【０００７】
また、請求項３に記載の発明は、前記止部が、釣針並列部の共通巻付部の巻付け方向と直交状に設けた切込み溝であることを特徴とし、共通巻付部に重ね巻きした後、ハリスの末端を確実に止められるように構成した。
【発明の効果】
【０００８】
本発明によれば、仕掛けから取り外したハリス付き釣針の収納において、針受部に釣針を掛け、ハリス受部に回したハリスを釣針並列部に巻付けず、別個に設けた共通巻付部に巻付けるため、釣針とハリスとが重ならず、収納が楽にできるとともに、次の使用時に際し、釣針を把持して引くだけでハリスが絡むことなく容易に抜け、取り出し作業が楽になるという優れた効果を奏するものである。
【０００９】
また、請求項２に記載の発明によれば、使用後に仕掛けから外した釣針及びハリスはハリス受部に掛けた後、釣針並列部の裏面を回して共通巻付部に巻付けるため、収納及び取り出し作業が楽に行えるという優れた効果を奏するものである。
【００１０】
また、請求項３に記載の発明によれば、共通巻付部に重ね巻きした後のハリスの末端は直交状に曲げて切込み溝に挟持させるので、ハリスの末端が確実に止まるという優れた効果を奏するものである。
【発明を実施するための最良の形態】
【００１１】
次に、本発明の実施の態様を添付図面に基づいて説明する。図１は本願収納ケースの斜視図、図２は図１におけるＡ−Ａ線断面図、図３は図１におけるＢ−Ｂ線断面図、図４は毛鉤用の本願収納ケースの斜視図、図５は針受部に掛けた毛鉤のハリスを共通巻付部に巻付けた後その末端を止めた状態を示す断面斜視図、図６（ａ）、（ｂ）、（ｃ）は共通巻付部へのハリスの巻付け方の例を示す裏面図である。
【００１２】
本願収納ケース１は、たとえば、図１に示す如く、短冊状の厚紙１ａの上側寄りに端折部１ｂを形成し、該端折部１ｂの山折り縁は釣針２を引っ掛ける針受部３として使用している。この山折り縁には、横並び状に針掛け溝を設け、釣針２がより受け易くなるようにしてもよい。前記端折部１ｂは浮き上がらないように糊付けしてもよい。
【００１３】
前記厚紙１ａの下側端には、前記針受部３に掛けた釣針２から延びたハリス４を受けるハリス受部５を設けている。該ハリス受部５は、図１の如く、横並び状に細長凹溝を設けてもよい。すなわち、これにハリス４が受け入れ易く、また、破線の如く、横方向に引き出すときに外れにくくするためである。前記釣針２を引っ掛けた針受部３と、これに対向するハリス受部５を含む厚紙１ａの表面はハリス付き釣針２の保管本数を明瞭にするための釣針並列部６として構成されている。
【００１４】
前記針受部３に掛けた釣針２から延びたハリス４は、図２の如く、ハリス受部５を通した後、厚紙１ａの裏面を回り、図３の如く、前記厚紙１ａの端折部１ｂより上方に設けた凹溝７ａと、厚紙１ａの下縁に設けた凹溝７ｂとの間に形成された共通巻付部７に巻付けられることとなる。
【００１５】
前記共通巻付部７は、前記釣針並列部６の外側（図１において右側）に設けてなるもので、針受部３に掛けた釣針２から延びたハリス４の余剰分を重ねて巻付けできるようになっている。この共通巻付部７には、図２の如く、厚紙１ａの裏面に回したハリス４を、厚紙１ａの下縁の凹溝７ｂから表側に出して上縁の凹溝７ａから裏面に回すように巻く場合と、厚紙１ａの裏面に回したハリス４を、厚紙１ａの上縁の凹溝７ａから表側に出して下縁の凹溝７ｂから裏面に回すように巻く場合とがあるが、その何れであってもよい。
【００１６】
前記共通巻付部７の隣接外縁にはハリス端末の止部８が設けられている。該止部８は図１では、共通巻付部７の巻付け方向に直交状の切込み溝を設けている。該直交状の切込み溝は、ハリス端末を直交状に曲げて切込み溝に挟持させるので、ハリス末端が止め易く、しかも確実に止められることとなる。この場合、止部（切込み溝）８は、図１の如く、前記針受部３に掛けた釣針２と同数（又はそれ以上）あれば、ハリス端末を１本１本別個に止められるが、少ない場合でも重ねて止めて支障がない。
【００１７】
本願収納ケース１は、図４の如く、形成してもよい。図４ではハリス付き毛鉤（けばり）の収納ケースとして使用した場合を示しているが、これに限らない。たとえば、細巾底板１ｃを介して対向する側板１ｄ、１ｄを設け、該側板１ｄ、１ｄ間の中寄りに渡設した平行な軸棒１ｅ、１ｅからなる針受部３と、外寄りに渡設した水平板１ｆ、１ｆの外縁にハリス受部５とを備えて釣針並列部６を形成してなる。
【００１８】
前記釣針並列部６には、軸棒１ｅ、１ｅからなる針受部３に掛けた釣針（毛鉤）２と、該釣針２から延びたハリス４が水平板１ｆ、１ｆのハリス受部５に掛けられた状態で横並び状に整列し、ハリス付き毛鉤の保管本数が一目瞭然となる。
【００１９】
前記釣針並列部６の右外側及び左外側には、軸棒１ｅに掛けた釣針２のハリス４を巻付けるための共通巻付部７が形成されている。この共通巻付部７は、前記水平板１ｆ、１ｆの外縁側に凹溝７ａ、７ｂを背反的に設けている。しかして、手前側の軸棒１ｅからなる針受部３に掛けた釣針（毛鉤）２から延出したハリス４を、手前側の水平板１ｆに備えたハリス受部５に引っ掛けてから、図５の如く、裏を回して先にある水平板１ｆに形成した共通巻付部７の凹溝７ａから表に出し、手前側の水平板１ｆに形成した共通巻付部７の凹溝７ｂへ回すように数回巻付けた後、ハリス端末を前記止部８に止めることとなる。
【００２０】
前記釣針並列部６の右外側又は左外側にある共通巻付部７の選択は、図６（ａ）、（ｂ）、（ｃ）の如く、一方（下側）の水平板１ｆのハリス受部５に掛けられたハリス４と、他方（上側）の水平板１ｆのハリス受部５に掛けられたハリス４とを分けて巻くようにするとよい。
【００２１】
前記止部８は、共通巻付部７の巻付け方向と直交状に切込み溝を設ける。この切込み溝にはハリス端末は直交状に曲げた状態で切込み溝に食い込ませ得るので、ハリス末端が止め易く、しかも確実に止められることとなる。この場合、止部（切込み溝）８は、図４の如く、前記針受部３に掛けた釣針２と同数（又はそれ以上）あれば、ハリス端末を１本１本別個に止められるが、少ない場合でも重ねて止めて支障がない。
【００２２】
上記実施例では、止部８は共通巻付部７の一方の側板１ｄの上縁と、他方の側板１ｄの外壁に張付けたゴム又は発泡材等のクッション性の部材１ｄ′に切込み溝を設けて形成しているが、両側板１ｄ、１ｄの上縁に切込み溝を設けても良いし、両側板１ｄ、１ｄの外壁にクッション性の部材１ｄ′を張付け、これに切込み溝を設けるように形成してもよいことは勿論である。
【００２３】
次に、本願収納ケース１の作用について説明する。魚釣りが終わって仕掛けから外したハリス付き釣針を収納するには、図１の如く、まず、釣針並列部６の針受部３に釣針２を掛ける。次いで、釣針２から延びたハリス４を、手指で摘んでハリス受部５を通して共通巻付部７に巻付ける。この巻付けに当たり、釣針２からハリス受部５を通し、前記釣針並列部６の裏面に回ったハリス４を、下縁の凹溝７ｂから表面に出して上縁の凹溝７ａから再び裏面を回してグルグル巻きにすると、ハリスは下から上への巻き方向となる一方、前記ハリス４をハリス受部５に掛けた後、釣針並列部６の裏面を回して上縁の凹溝７ａから表に出して下縁の凹溝７ｂに回すようにして共通巻付部７にグルグル巻きに巻付けると、ハリスは上から下への巻き方向となる。
【００２４】
次に、共通巻付部７への巻付け後、ハリス端末は、共通巻付部７の隣接外縁に、その巻付け方向と直交状の切込み溝からなる止部８に止める。これにより一本目のハリス付き釣針の収納が完了する。次いで、二本目、三本目のハリス付き釣針の収納に移るが、二本目も、三本目も、針受部３に釣針２を掛け、該釣針２から延びたハリス４は、総て、ハリス受部５を通した後、共通巻付部７に重ねて巻付け、止部８に止められる。
【００２５】
また、図１に示す本願収納ケース１に収納されている「ハリス付き釣針」の取り出し方について説明する。まず、任意の一つの釣針２を手指で把持して針受部３から外し、把持したまま釣針２を引きつつ共通巻付部７に重ね巻きされているハリス４を巻き戻すようにしながら抜くと、止部８に止められていたハリス末端が抜け、容易に取り出せる。
【産業上の利用可能性】
【００２６】
本願収納ケースは、釣針及びハリスの収納を楽に行うことができるとともに、次の魚釣りの使用に際して簡易に取り出し易くしたもので、釣針の製造業者、釣具の販売業者、釣具の貸し出し業者、釣船業者、釣堀業者、釣を主とする旅行業者などに利用可能性は高いものである。
【図面の簡単な説明】
【００２７】
【図１】本願収納ケースの斜視図である。
【図２】図１におけるＡ−Ａ線断面図である。
【図３】図１におけるＢ−Ｂ線断面図である。
【図４】毛鉤用の本願収納ケースの斜視図である。
【図５】針受部に掛けた毛鉤のハリスを共通巻付部に巻付けた後その末端を止めた状態を示す断面斜視図である。
【図６】（ａ）、（ｂ）、（ｃ）は共通巻付部へのハリスの巻付け方の例を示す裏面図である。
【符号の説明】
【００２８】
１  本願収納ケース
１ａ  厚紙
１ｂ  端折部
１ｃ  細巾底板
１ｄ  側板
１ｄ′  発泡部材
１ｅ  軸
１ｆ  水平板
２  釣針
３  針受部
４  ハリス
５  ハリス受部
６  釣針並列部
７  共通巻付部
７ａ、７ｂ  凹溝
８  止部
【図１】
2014124143.tif 000003
【図２】
2014124143.tif 000004
【図３】
2014124143.tif 000005
【図４】
2014124143.tif 000006
【図５】
2014124143.tif 000007
【図６】
2014124143.tif 000008